(57)【特許請求の範囲】
【請求項１】
壁面のアウトレットボックスに取付け可能な直列ユニット型に構成され、表側に３つのアウトレット端子（1 、2 、3 ）が配置され、それらの両側面に入力端子（4 、5 ）が形成され、前記入力端子（4 、5 ）のうち一方が分配器（6  ）を介して２つのアウトレット端子（1 、2 ）と接続され、前記入力端子（4 、5 ）の他方が残る１つのアウトレット端子（3 ）と接続されたことを特徴とするテレビ用壁面端子。
【請求項２】
請求項１における分配器（6 ）とアウトレット端子（1 、2 ）との間の夫々にフィルタ（7 、8 ）が設けられ、そのうちの一方のフィルタ（7 ）はBS-IF 信号及び／又はCS-IF 信号を阻止してRF信号を通過させるものであり、他方のフィルタ（8 ）はRF信号を阻止してBS-IF 信号及び／又はCS-IF 信号を通過させるものであることを特徴とする請求項１記載のテレビ用壁面端子。
【発明の詳細な説明】
【０００１】
【発明の属する技術分野】
本発明は宅内配線用にアウトレットボックスに取り付けられるテレビ用壁面端子に関するものであり、BS-IF 信号とCS-IF 信号とを同時に入力可能であり、テレビ、ホームターミナル、BSチューナ、CSチューナ等の機器から同時に３つまでを接続可能とするものである。
【０００２】
【従来の技術】
テレビ用壁面端子はこれまでアウトレット端子を１つ乃至２つ備えるものが製品化されていた。例えば、アウトレット端子が２つのものは図３（ａ）に示される様な外観を有し、内部は図３（ｂ）に示される様な回路を有していた。図３（ａ）の２つの端子A 、B は壁面のアウトレットボックス（図示されていない）に取り付けた際、ボックス内に収容配置され、このうち一方の端子A は信号入力用、もう一方の端子B は信号出力となっている。即ち、入力用の端子A にはＴＶアンテナ線や引込線等の信号線C を接続し、出力用の端子B には別のテレビ用壁面端子を接続することができるようになっている（この出力用の端子B を備えることから、図３のテレビ用壁面端子は直列ユニットとも呼ばれている）。図３（ａ）の２つのアウトレット端子D 、E はアウトレットボックスに取り付けた際、壁面に露出されて配置され、これらは図３（ｂ）に示す様に端子D 、E 間の配線に分岐器F と分配器G を介して接続されており、端子A に入力した信号が分岐、分配されて出力される様になっている。
【０００３】
前記テレビ用壁面端子では、２つのアウトレット端子D 、E に同時に２台のチューナを接続することができ、例えば、一方にCATVチューナを、他方にBSチューナかCSチューナかを接続することができる。BSチューナを接続する場合には、入力用の端子A が接続される信号線C にCATV用の信号とBSアンテナ（図示されていない）からのBS-IF 信号とを伝送し、CSチューナを接続する場合には、前記信号線C にCATV用の信号とCSアンテナ（図示されていない）からのCS-IF 信号とを伝送する。
【０００４】
【発明が解決しようとする課題】
前記テレビ用壁面端子はアウトレット端子D 、E を２つ備えても、それらにBSチューナとCSチューナとを接続してそれらを視聴することはできなかった。これはBS-IF 信号とCS-IF 信号とを１本の同軸ケーブルに伝送できないことによる。CS-IF 信号の伝送方式には図５（ａ）に示すCS-IF ブロックコンバータ方式と、図５（ｂ）に示すＬＮＢ混合方式とがあるが、前者ではCS-IF をBS-IF より高周波側にブロックコンバートしても、CS-IF （Ｖ）・とCS-IF （Ｈ）・とはそのどちらか一方しか伝送できず、後者はBS-IF とCS-IF （Ｖ）とはそのどちらか一方しか伝送できないからである。即ち、入力端子が一つしかない従来のＴＶ用壁面端子ではBS-IF 信号とCS-IF 信号とを入力して、チューナに出力することができなかった。
【０００５】
従来のテレビ用壁面端子でも、図４に示す様にアウトレットボックスH に２つのテレビ用壁面端子I 、J を取付け、このうち一方のテレビ用壁面端子（２端子型）I にCATV信号とBS-IF 信号とを入力して、その２つのアウトレット端子K 、L にCATVチューナとBSチューナとを接続し、もう一方のテレビ用壁面端子（１端子型）J にCS-IF 信号を入力して、そのアウトレット端子M にCSチューナを接続すれば、CATV、BS、CSの全てを同時に受信することが可能であるが、この場合、テレビ用壁面端子が２つ必要となり、アウトレットボックスもテレビ用壁面端子を２つ取り付けできるタイプのものを使わなければならないため、部品代、作業代等のコストアップが問題となる。近年、CS放送の視聴世帯が増えていることから、大きなコストアップを伴わずにBSとCSとを視聴できるテレビ用壁面端子が望まれていた。
【０００６】
【課題を解決するための手段】
本発明のうち請求項１のテレビ用壁面端子は、壁面のアウトレットボックスに取付け可能な直列ユニット型に構成され、表側に３つのアウトレット端子1 、2 、3 が配置され、それらの両側面に入力端子4 、5 が形成され、前記入力端子4 、5 のうち一方が分配器6 を介して２つのアウトレット端子1 、2 と接続され、前記入力端子4 、5 の他方が残る１つのアウトレット端子3 と接続されたことを特徴とするものである。
【０００７】
本発明のうち請求項２のテレビ用壁面端子は、請求項１における分配器6 とアウトレット端子1 、2 との間の夫々にフィルタ7 、8 が設けられ、そのうちの一方のフィルタ7 はBS-IF 信号及び／又はCS-IF 信号を阻止してRF信号を通過させるものであり、他方のフィルタ8 はRF信号を阻止してBS-IF 信号及び／又はCS-IF 信号を通過させるものであることを特徴とするものである。
【０００８】
【発明の実施の形態】
図１は本発明のテレビ用壁面端子の実施形態であり、本体ケース9 の正面にチューナを接続するためのアウトレット端子1 、2 、3 が設けられ、側面に端子（入力端子）4 、5 が突設されている。ケース側面の入力端子4 はCATV用の信号とBS用の信号が入力される端子であり、入力端子5 はCS用の信号が入力される端子である。これら入力端子4 、5 はアウトレットボックスへの取付け時に当該ボックス内に収容され、アウトレット端子1 、2 、3 はアウトレットボックス取付け時に壁面表側に露出される。アウトレットボックス内に格納される入力端子4 や5 には同ボックス内に引き出された信号線がコネクタ接続されてCATV信号やBS信号、CS信号が入力され、アウトレット端子1 、2 、3 には宅内のチューナがコネクタ接続されてCATV信号やBS信号、CS信号が出力される。なお、アウトレット端子1 、2 、3 は一般にＦ型コネクタが用いられる。
【０００９】
前記本体ケース9 内には図２に示す様に、入力端子4 に入力された信号を２つのアウトレット端子1 、2 に分配して出力する分配器6 が設けられている。この場合、分配器6 の出力端の一方にはBS-IF 信号を阻止してRF信号を通過させるRF用フィルタ7 が接続され、他方にはRF信号を阻止してBS-IF 信号を通過させるBS-IF 用フィルタ8 が接続されて、夫々アウトレット端子1 、2 に接続されている。
【００１０】
前記RF用フィルタ7 はCATVで下り信号の伝送に使われているRF信号、即ち70〜450MHzの周波数帯域にある信号を通過するフィルタである。これには1GHz以下の信号は通過させるが1GHz以上の信号（BS-IF 信号やCS-IF 信号）はカットするローパスフィルタや、70〜450MHzの信号のみを通過するバンドパスフィルタ（BPF ）を使用することができる。後者のBPF を使用する場合はCATVで上り信号の伝送に使われている10〜50MHz のRF信号もカットできるので、加入者側のCATVチューナから伝送路に上り雑音が入らないようにするには都合が良い。
【００１１】
前記BS-IF 用フィルタ8 は1GHz帯にあるBS-IF 信号を通過させるフィルタである。これには1GHz以上の信号は通過させるがそれ以下の信号はカットするハイパスフィルタや、1GHz帯の信号のみを通過させるバンドパスフィルタを使用することができる。
【００１２】
２つの入力端子4 、5 のうち、入力端子5 は直接アウトレット端子3 と接続されている。
【００１３】
前記実施形態では本体ケース9 を既存のアウトレットボックスに取付け可能な大きさに作成したため、アウトレット端子1 、2 、3 間の間隔は小さいが、新しくサイズの大きいアウトレットボックスを新規格として準備し、このようなアウトレットボックスを作成すれば、本体ケース9 を大型化することができ、アウトレット端子1 、2 、3 間の間隔も大きくすることができる。
【００１４】
【発明の効果】
本発明のテレビ用壁面端子では、入力端子4 、5 のうち一方が分配器6 を介して２つのアウトレット端子1 、2 に接続され、前記入力端子4 、5 の他方が残る１つのアウトレット端子3 に接続されているため、例えば、入力端子4 にCATVのRF信号とBSのBS-IF 信号を入力して、アウトレット端子1 、2 にCATVチューナとBSチューナを接続し、入力端子5 CSのCS-IF 信号を入力してアウトレット端子3 にCSチューナを接続すれば、CATVとBS、CSを視聴することができる。
【図面の簡単な説明】
【図１】本発明のテレビ用壁面端子の外観を示した正面図。
【図２】図１のテレビ用壁面端子の内部回路を示した回路図。
【図３】従来の２端子型テレビ用壁面端子の一例であり、（ａ）は外観の正面図、（ｂ）は内部の回路図。
【図４】従来のテレビ用壁面端子によるBSとCSの受信方法の例を示した説明図。
【図５】（ａ）、（ｂ）はCS・BSのＩＦ伝送の周波数マップを示した説明図。
【符号の説明】
１、２、３  アウトレット端子
４、５  入力端子
６  分配器
７、８  フィルタ
【図１】
0003997011.tif 000002
【図２】
0003997011.tif 000003
【図３】
0003997011.tif 000004
【図４】
0003997011.tif 000005
【図５】
0003997011.tif 000006